(57)【特許請求の範囲】
【請求項１】
カード挿入口にカードが挿入されるとカードに記憶されている情報を読み込んで記憶するカードユニットが接続され、パチンコ機本体で貸球と賞品球の払出しを可能としたパチンコ機において、
前記パチンコ機本体には、前記貸球と賞品球とを払い出す球排出装置と、該球排出装置の駆動制御プログラムや前記カードユニットとの入出力制御プログラムを格納したＲＯＭと該ＲＯＭに格納された制御プログラムに従って前記球排出装置を駆動制御するＣＰＵを一体に実装してなるマイクロコンピュータにより構成される制御部を含む枠制御基板と、前記パチンコ機本体に設けられる遊技盤の各入賞装置等を制御すると共に前記枠制御基板に接続されるメイン基板と、前記カードユニットに記憶されている情報の範囲内で所定数のパチンコ球の貸し出しを行うための信号を発生する球貸しスイッチと、前記カード挿入口に挿入されたカードを返却するための信号を発生するカード返却スイッチと、前記カードユニットと前記枠制御基板とを接続するインターフェイス基板と、前記賞品球が所定量以上貯留されたことを検出する満タン検出スイッチと、前記球排出装置で払い出すべきパチンコ球が不足したことを検出する球切れ検出スイッチと、貸球可能状態と貸球動作中とを表示可能な払出し表示手段と、を備え、
前記インターフェイス基板には、前記球貸しスイッチと前記カード返却スイッチとが接続され、
前記枠制御基板には、前記インターフェイス基板を介することなく前記満タン検出スイッチと前記球切れ検出スイッチとが接続され、
前記払出し表示手段は、前記カードユニットのカード挿入口にカードを挿入すると前記インターフェイス基板を介して入力される入力信号に応じて球貸可能状態に表示制御される一方、前記球貸しスイッチが操作され球貸し動作が開始されると球貸し動作中に表示制御され、
前記枠制御基板のＣＰＵは、前記球切れ検出スイッチからの信号によって球無し状態でないことや前記満タン検出スイッチからの信号によって満タン状態でないことを判定したときに前記球貸しスイッチからの前記インターフェイス基板を介して入力される入力信号に応じて前記球排出装置を駆動して所定数の貸球を払い出すと共に、前記メイン基板から前記インターフェイス基板を介することなく前記枠制御基板に入力される入賞に起因する賞品球の払出信号に応じて前記球排出装置を駆動して所定数の賞品球を払い出すことを特徴とするパチンコ機。
【発明の詳細な説明】
【０００１】
【発明の属する技術分野】
本発明は、カード式パチンコ機の改良に関する。
【０００２】
【従来の技術】
特開昭６４−３４３９０号には、パチンコ機本体の前面枠の一側に、パチンコカードを挿入するためのカード挿入口と、パチンコカードに記憶されている貸球可能な金額を表示するための金額表示器と、金額表示器に表示された金額の範囲内でボタンに対応した表示金額に応じた金額の貸球の払出しを行わせるための貸球信号指令ボタンと、玉を貸し出すための装置が駆動中である旨を表示する貸球中表示器とを備え、カード挿入口にパチンコカードを挿入し、貸球信号指令ボタンを操作することにより、景品球払出装置を駆動制御し、所定量のパチンコ玉を貸し出すと共に、景品球払出装置が駆動中である旨を貸球中表示器で表示するパチンコ遊技機が記載されている。なお、特開平０４−２３１９９０号公報に記載のパチンコ遊技機では、貸球中表示器は、景品球払出装置が駆動中である旨を表示するものであり、球貸及び賞品球払出しに関わる球排出が可能である可能状態を兼用して表示するものではなかった。
【０００３】
【発明が解決しようとする課題】
本発明の目的は、パチンコ球の貸球可能状態と貸球動作中とを識別可能に表示できるパチンコ機を提供することにある。
【０００４】
【課題を解決するための手段】
請求項１に記載のパチンコ機は、パチンコ機本体で、貸球と賞品球の払出しを可能としたものであって、上記課題を解決するために、前記パチンコ機本体には、前記貸球と賞品球とを払い出す球排出装置と、該球排出装置の駆動制御プログラムや前記カードユニットとの入出力制御プログラムを格納したＲＯＭと該ＲＯＭに格納された制御プログラムに従って前記球排出装置を駆動制御するＣＰＵを一体に実装してなるマイクロコンピュータにより構成される制御部を含む枠制御基板と、前記パチンコ機本体に設けられる遊技盤の各入賞装置等を制御すると共に前記枠制御基板に接続されるメイン基板と、前記カードユニットに記憶されている情報の範囲内で所定数のパチンコ球の貸し出しを行うための信号を発生する球貸しスイッチと、前記カード挿入口に挿入されたカードを返却するための信号を発生するカード返却スイッチと、前記カードユニットと前記枠制御基板とを接続するインターフェイス基板と、前記賞品球が所定量以上貯留されたことを検出する満タン検出スイッチと、前記球排出装置で払い出すべきパチンコ球が不足したことを検出する球切れ検出スイッチと、貸球可能状態と貸球動作中とを表示可能な払出し表示手段と、を備え、前記インターフェイス基板には、前記球貸しスイッチと前記カード返却スイッチとが接続され、前記枠制御基板には、前記インターフェイス基板を介することなく前記満タン検出スイッチと前記球切れ検出スイッチとが接続され、前記払出し表示手段は、前記カードユニットのカード挿入口にカードを挿入すると前記インターフェイス基板を介して入力される入力信号に応じて球貸可能状態に表示制御される一方、前記球貸しスイッチが操作され球貸し動作が開始されると球貸し動作中に表示制御され、前記枠制御基板のＣＰＵは、前記球切れ検出スイッチからの信号によって球無し状態でないことや前記満タン検出スイッチからの信号によって満タン状態でないことを判定したときに前記球貸しスイッチからの前記インターフェイス基板を介して入力される入力信号に応じて前記球排出装置を駆動して所定数の貸球を払い出すと共に、前記メイン基板から前記インターフェイス基板を介することなく前記枠制御基板に入力される入賞に起因する賞品球の払出信号に応じて前記球排出装置を駆動して所定数の賞品球を払い出すことを特徴とする。
【０００５】
【０００６】
【０００７】
【発明の実施の形態】
以下、本発明の実施の形態を図面を参照して説明する。図１は、本発明のカード式パチンコ機の一実施形態を示す正面図であり、図２は、図１の裏面図であり、図３は、図１の別の裏面図である。図１乃至図３において、カード式パチンコ機１は、パチンコ機本体２と、パチンコ機本体１の正面左方に隣接配置されてパチンコ機本体１と組み合わされるカードユニット３よりなる。カード式パチンコ機１は、遊技場内においては各島毎に横一列に並べて配置され、カードユニット３は、図示されていないが各パチンコ機の間に配置される。
【０００８】
図１において、カードユニット３は、その中央に、金銭と同様の有価価値を有するプリペイドカードが縦方向に挿入されるカード挿入口４が配備され、カードユニット３上部には、該カードユニットが利用可能であることを示すカード利用可能ＬＥＤ９が設けられ、また、カード利用可能ＬＥＤ９とカード挿入口４との間には、上方より下方に向かって順に、カードの残高が１回の球貸に関する払出し金額に満たない時に、その端数を表示するための端数表示ボタン８と、該カードユニット３に対応したパチンコ機本体２の方向を表示して指し示す連結台方向表示ＬＥＤ５と、カードが挿入されると点灯するカード挿入中ランプ６の各々が配設されている。また、カード挿入口４の下方には、カードユニット３のカード挿入口４を開閉するためのカードユニット鍵７が設けられている。カード利用可能ＬＥＤ９及び連結台方向表示ＬＥＤ５は、カードユニット３の電源投入と共に点灯される。
【０００９】
パチンコ機本体２は、パチンコ機本体２の外形を形成する基枠１１がパチンコ機本体２の左側寄りの一端を蝶番１９により開閉自在に取付けられ、基枠１１には、前面ガラス７０を備えた金枠６９がパチンコ機本体２の上部から中程までを前方に向けて開閉自在に取付けられ、金枠６９は、金枠鍵１０１によって基枠１１に閉止される。基枠１１の上部及び右側には、パチンコ遊技中の当たり発生時に点灯または点滅表示される当たり表示灯１７が複数箇所配備され、また、金枠６９が不正に開放される場合に点灯される金枠開放表示灯１８が基枠１１の上部に配備されている。
【００１０】
基枠１１と金枠６９に挟まれる間には、遊技盤１０が設けられ、遊技盤１０面には、弾発された遊技球を遊技盤１０上方に誘導する球誘導レール２１と、遊技球が回収されるアウト球受口２２が配設され、遊技盤１０の左側上方には、遊技盤１０面において発生した入賞に対する賞品球の払出し時及び賞品球の切れ発生時に点灯表示される賞品球表示灯２３が設けられる。なお、遊技盤１０面には、各種入賞装置や図柄表示装置等が配設されるが図示は省略されている。
【００１１】
金枠６９の下方には、正面右方より左方に順に、球貸し時に操作する球貸ボタン１２と、カードの残高を表示するセグメントよりなるカード残高表示ＬＥＤ１３と、カードの返却時に操作する返却ボタン１６と、パチンコ球の球貸及び払出し時における可能状態と球切れや払出し経路の満タン等に起因する球排出の不可能状態を表示する払出し表示ＬＥＤ１４の各々が配設される。球貸ボタン１２は、透明な合成樹脂等よりなり、その内部に球貸可能である場合に点灯される球貸可能ＬＥＤ１５が配備され、該カード式パチンコ機１が球貸可能となっているか否かを視認できるようになっている。また、払出し表示ＬＥＤ１４は、電源投入後、緑で点灯する。
【００１２】
さらに、球貸ボタン１２、カード残高表示ＬＥＤ１３、返却ボタン１６及び払出し表示ＬＥＤ１４の下方に、前方に張出して上皿２４が設けられ、パチンコ球は、上皿２４内に払い出される。なお、球貸ボタン１２の奥方には球貸スイッチ９８が配備され、返却ボタン１６の奥方には返却スイッチ９９が配備されている。上皿２４の底部奥方には、カード式パチンコ機１の拡声部であるスピーカ５７が配備される。上皿２４の下方には、下皿２６が設けられ、上皿２４の上面に設けられる球抜きレバー２５を押下することにより、上皿２４内に停留するパチンコ球を下皿２６内に流下する。
【００１３】
下皿２４の右方には、パチンコ球を遊技盤に向けて弾発するための発射モータを有する発射装置によって駆動されるハンドル２８が設けられ、ハンドル２８の側方には、発射装置の駆動を操作して停止するための発射装置停止ボタン２９が設けられている。また、下皿２６の底部には、球抜きレバー２７が設けられ、下皿２６内のパチンコ球を下方に流下できるようになっている。
【００１４】
図２は、カード式パチンコ機１の裏面を示す図であり、カードユニット３裏面には、パチンコ機本体２とカードユニット３とを電気的に接続するための雌型コネクタ５８が設けられ、カードユニット３の下部には、カードユニット電源コード５４が配設されている。また、雌型コネクタ５８の下方には、連結台方向表示ＬＥＤ５の指し示す表示方向をカードユニット３に対応したパチンコ機本体２の連結方向に一致して切り替えるための切替スイッチ２０が設けられている。カードユニット３は、カードユニット係止部材７４，７５によりパチンコ機本体２の基枠１１の一側面に係止される。
【００１５】
パチンコ機本体２の裏面は、基枠１１の外縁の内方に、遊技盤１０を含む裏セット板を係止するための裏セット板締め具４１が複数個所設けられる。金枠６９の一下端縁には不正行為により金枠６９が開放された場合に作動する金枠開放検出スイッチ７４が設けられている。また、パチンコ機本体２の裏面の図１の上皿２４の底部に対応する位置には、スピーカ５７が配置され、また、図１のハンドル２８に対応する位置には、発射モータ５５が配置され、発射モータ５５の側方には発射装置停止スイッチ１０２が配備され、発射モータ５５の下方には、発射装置制御基板５６が配設される。また、パチンコ機本体２裏面の下方カードユニット寄りには、カードユニット３よりの信号の入出力を行うインターフェース基板４６が配備され、インターフェース基板４６とカードユニット３とは、前述したカードユニット３の雌型コネクタ５８に嵌合する雄型コネクタ７１により接続される。なお、図２において、符号７２，７３の各々は、レールカバー及び上皿口である。
【００１６】
図３は、裏セット板６２を装着した状態のパチンコ機本体２の裏面を示す図であり、遊技盤１０を含む裏セット板６２は、裏セット板締め具４１を締めこむことにより基枠１１の内側に嵌め込み係止されている。
【００１７】
次に、裏セット板６２に取付けられる各要素について説明する。上部には、球タンク４０が配設され、該球タンク４０には、図示しない遊技場内に設置されたパチンコ球の循環装置よりパチンコ球が供給される。球タンク４０の底部には、球タンク４０内の球の重みでオンとなる球切れ検出スイッチＳＷ１，ＳＷ１が配備され、球切れ検出スイッチＳＷ１，ＳＷ１は、球タンク内のパチンコ球が少量となるとオフとなる。また、球タンク４０には、静電防止器４９が配設され、球切れ検出スイッチＳＷ１，ＳＷ１の誤動作を防止している。
【００１８】
球タンク４０には、内外に２条の球通路が設けられたタンクレール４２が基枠１１の側端に向けて傾斜がかけられて連結され、球タンク４０に投入されたパチンコ球は、２条の球通路内に誘導されタンクレール２２の傾斜に沿って移動する。タンクレール２２の中途には、タンクレール２２を移動するパチンコ球をならす球ならし振り子４３が設けられている。
【００１９】
タンクレール４２の内外の２条の球通路の途中には各々通過する賞品球の有無を検出する球切れ検出スイッチＳＷ２，ＳＷ２が配備され、球切れ検出スイッチＳＷ２，ＳＷ２は賞品球がない場合にオフとなる。また、基枠１１の略中間の側方寄りには球排出装置４４が設けられ、タンクレール４２の傾斜方向の先端が下方に向けて屈曲されて球排出装置４４に連結されている。２条の球通路内に誘導されタンクレール４２の傾斜に沿って移動したパチンコ球は、球排出装置４４内に設けられる２つの通路に入って保持され、球排出装置４４の作動により一定数のパチンコ球が賞品球あるいは球貸要求に対する使用球、または球抜き操作による排出球として下方に解放される。
【００２０】
球排出装置４４の下方には、遊技盤１０面方向よりピン等を差し込むことによって操作される球抜き操作検出スイッチＳＷ３が配備される。また、球抜き操作検出スイッチＳＷ３の下方には、球抜き操作時に励磁される球抜きソレノイドＳＯＬ１によって回動される図示しない球抜き放出弁が取付けられ、さらに球抜き放出弁の下方には、賞品球あるいは球貸要求に対するパチンコ球が上皿２４に対して払い出される図示しない払い出し経路と、球抜きされたパチンコ球が排出される球排出路が設けられ、球抜き放出弁は球抜き操作を行うことによって励磁される球抜きソレノイドＳＯＬ１により球排出路側に回動して、球供給装置４４の作動により解放されたパチンコ球を球排出路に排出する。球抜き操作が行われていない場合には、球供給装置４４の作動により解放されたパチンコ球は、払い出し経路に排出される。また、球排出装置４４の下方には球排出装置４４やカードユニット３との入出力制御等を行う枠制御基板４５が配設されている。
【００２１】
基枠１１の中央には遊技盤１０面に配備される図柄表示装置や各入賞装置を制御する遊技盤制御基板や入賞したパチンコ球が誘導される球誘導路が内部に形成されている基板収納ボックス１０３が配置されている。
【００２２】
払い出し経路は基板収納ボックス１０３の外形に沿うように形成されており、払い出し経路は、中途において２方に分岐し、一方は上皿口７３に連通され、他方は下方に延在して下皿口６０に連通され、下皿口６０に至る経路の側方に賞品球経路満タン検出スイッチＳＷ４が配設され、賞品球経路満タン検出スイッチＳＷ４は、下皿口６０に至る経路内にパチンコ球が満タンとなるとオンされる。
【００２３】
なお、基枠１１の下部一側よりには、ハンドル２８を駆動する発射モータ５５を具備した発射装置が配設され、また、下皿口６０の一側寄りには、カード式パチンコ機１の異常状態やカード式パチンコ機１に対する不正行為が検出された場合に出力された信号を制御する防犯制御基板５３が配設されている。
【００２４】
また、球排出装置４４の下方の基枠１１の内縁には、球切りモータ５２と球切りモータ５２によって回転駆動される球切りカム４９とよりなる払出し検出機構６１が配設されている。
【００２５】
球排出装置４４は、図４及び図５に示されるように、球排出装置４４のケース８０に、パチンコ球の通過が可能な程度にパチンコ球の外径に比べて僅かに大きく内径を形成された２つの通路８１と通路８２が縦方向に穿設され、各々の通路８１，８２の下部には、球を送り出す球送出車８４，８５が各々の通路８１，８２に対して直交する同軸上に回転自在に設けられている。球送出車８４，８５の回転軸８３には図示しないパルスモータが連結され、球送出車８４，８５はパルスモータの回転軸に固着されている。また、パルスモータは、球排出装置４４のケース８０の側部に取付けられている。
【００２６】
球送出車８４，８５の外周縁は、パチンコ球の外周に沿うように複数の球体係合部８６，８７がそれぞれ形成され、球送出車８４の球体係合部８６の間には一定のピッチで突部８８がそれぞれ形成され、球送出車８５の球体係合部８７の間には一定のピッチで突部８９がそれぞれ形成され、球送出車８４の突部８８と球送出車８５の突部８９とは半ピッチずらして配置されており、球送出車８４と球送出車８５は同一の形状とされている。そして、突部８８の一部が、通路８１に対して突出され、通路８１内に送り込まれたパチンコ球を保持することにより整列した状態に収納する。また、突部８９の一部が、通路８２に対して突出され、通路８２内に送り込まれたパチンコ球を保持することにより整列した状態に収納する。
【００２７】
さらに、球送出車８４の通路８１に突出される突部８８の径方向に対向する突部９２に対して上方より当接して、球送出車８４の回転方向に対して抑止するフック９０が回動可能に設けられ、また、球送出車８５の通路８２に突出される突部８９の径方向に対向する突部９３に対して上方より当接して、球送出車８５の回転方向に対して抑止するフック９１が回動可能に設けられ、それぞれパチンコ球の重さによって球送出車８４，８５が回転することを防止している。
【００２８】
また、突部８８の一部が突出されている位置より上方の通路８１には、通路８１内の球を検出する球検出センサー９４が配備され、突部８８の一部が突出されている位置より下方の通路８１には、球送出車８４の回転によって解放されたパチンコ球を検出する排出球センサー９６が配備されている。また同じく、突部８９の一部が突出されている位置より上方の通路８２には、通路８２内の球を検出する球検出センサー９５が配備され、突部８９の一部が突出されている位置より下方の通路８２には、球送出車８５の回転によって解放されたパチンコ球を検出する排出球センサー９７が配備されている。
【００２９】
なお、フック９０及びフック９１は、球送出車８４及び球送出車８５が回転される毎に、図示されていないフックソレノイドの励磁により同時に回動され、突部８８及び突部８９への抑止を解除し、球送出車８４及び球送出車８５の回転が停止する毎に回動復帰して突部９２及び突部９３への抑止を再び行うようになっている。
【００３０】
球排出装置４４の球排出動作は、球送出車８４あるいは球送出車８５の半ピッチに相当するパルスを１ステップとしてパルスモータを回転させると、球送出車８４と球送出車８５が半ピッチに応じた角度だけ同時に回転し、通路８１および通路８１内のパチンコ球がそれぞれ球体係合部８６，８７に係合しながら下方に送られていき、球送出車８４と球送出車８５が半ピッチずれているために、通路８１および通路８２内のパチンコ球のいずれか一方が排出される。さらに、球送出車８４あるいは球送出車８５の半ピッチに相当するパルスを１ステップとしてパルスモータを回転させると、先にパチンコ球が排出された通路に対するもう一方の通路内のパチンコ球が排出される。即ち、球送出車８４及び球送出車８５による球排出動作の繰り返しにより、通路８１内のパチンコ球及び通路８２内のパチンコ球が１個ずつ交互に排出される。
【００３１】
払出し検出機構６１は、図６に示されるように、遊技盤１０に入賞した遊技球は、図示されない遊技盤１０裏面に設けられた誘導路によって球切りカム４９に誘導されて１個ずつ入る。球切りカム４９上に入った遊技球は、球切りカム４９の回転と共に回転移動する。球切りカム４９に入った遊技球の公転軌跡位置には、球切りカム４９上の遊技球によって作動する従動部材７４が回動自在に設けられ、従動部材７４の一側には連結杆７５の一端が連結され、連結杆７５の他端には回動自在に設けられた連結板７６の一端が連結され、連結板７６の側方には、賞品球払出し検出スイッチＳＷ５が配設されている。賞品球払出し検出スイッチＳＷ５は、球切りカム４９に遊技球が入っていない場合には、バネ７７によって連結板７６の他側が賞品球払出し検出スイッチＳＷ５側に付勢されてオン状態となっているが、球切りカム４４に遊技球が入って回転動作によって従動部材７４を回動し、従動部材７４の回動によって直動する連結杆７５を介して連結板７６が回動すると、連結板７６の他側が賞品球払出し検出スイッチＳＷ５より離間してオフ状態となり、作動状態となる。なお、球切りカム４９に入った遊技球は、賞品球払出し検出スイッチＳＷ５を作動させた後、遊技盤１０側に落下してパチンコ機本体２内に回収される。
【００３２】
賞品球払出し検出スイッチＳＷ５の作動信号は、枠制御基板４５に入力され、さらに、遊技盤１０面の各入賞装置等を制御するメイン基板に入力される。メイン基板は、賞品球払出し検出スイッチＳＷ５の作動信号が入力されると、この信号と同期して枠制御基板４５に払出し信号を送出する。枠制御基板４５は、払出し信号が入力されると、送られた払出し信号に応じて球排出装置４４を制御して賞品球の払出しを行う。また、この時、遊技盤１０に設けられた賞品球表示灯２３が点灯する。
【００３３】
また、賞品球払出し検出スイッチＳＷ５の下方には、払出しモニターＬＥＤ５０および５１が配設されている。払出しモニターＬＥＤ５０は、通常時、緑に点灯され、球排出装置４４内にパチンコ球がない時、即ち、球排出装置４４内の２つの通路８１，８２内に設けられた球検出センサー９４，９５のいずれかによって球無しが検出された場合に、消灯される。払出しモニターＬＥＤ５１は、通常時には消灯され、球排出装置４４内にパチンコ球がない時に、赤に点灯される。
【００３４】
さらに、裏セット板６２の上方の球タンク４０の側方には、遊技場内の集中管理装置に該カードパチンコ機１の各情報を出力する外部出力端子６３乃至６８の各々が設けられている。
【００３５】
外部出力端子６３は、遊技盤１０内における特定の当たり情報を出力する端子であって、遊技盤１０から枠制御基板４５を介して外部へ出力する。外部出力端子６４は、球切れ情報を出力する端子であって、球タンク４０内のパチンコ球が不足して球検出スイッチＳＷ１，ＳＷ１がオフとなると、情報を外部に出力する。
【００３６】
外部出力端子６５は、発射装置制御入力端子であって、外部より接点信号が入力され、端子間を短絡した状態にすると、防犯基板５３へ信号が出力され、発射モータ５５が停止される。
【００３７】
外部出力端子６６は、金枠開放情報を出力する端子であって、金枠開放検出スイッチ７８が作動した場合に、情報を外部に出力する。
【００３８】
外部出力端子６７は、貸球情報出力する端子であって、貸球２５個ごとに情報を出力するものであり、外部出力端子６８は、入賞に対する賞品球の払出し情報を出力する端子であって、払出し球数１０個ごとに出力するものである。
【００３９】
図７は、本発明のカード式パチンコ機の要部ブロック図である。カード式パチンコ機の制御部は、球排出装置４４の駆動制御プログラムやカードユニット３との入出力制御プログラムや球抜き動作プログラム等を格納したＲＯＭ３１と、データの一時記憶に使用されるＲＡＭ３２及びＲＯＭ３１に格納された制御プログラムに従ってパチンコ機本体２の各部を駆動制御するＣＰＵ３０とを一体に実装してなるマイクロコンピユータ１００により構成され、該制御部は、条件検出手段や各ＬＥＤの表示駆動手段を兼ねる。
【００４０】
マイクロコンピユータ１００には、球切れ検出スイッチＳＷ１，球抜き検出スイッチＳＷ２および球抜き操作検出スイッチＳＷ３の各々がスイッチ検出部３３を介して接続され、払出し表示ＬＥＤ１４，払出しモニターＬＥＤ５０及び５１，球貸可能ＬＥＤ１５，カード残高表示ＬＥＤ１３の各々がＬＥＤ表示回路３４を介して接続され、賞品球払出し検出スイッチＳＷ５と賞品球満タン検出スイッチＳＷ４とがスイッチ入力回路９５を介して接続されている。
【００４１】
また、カードユニット３がカードユニットインターフェイス４６に接続されているが、図示を省略している。カードユニットインターフェイス４６には、パチンコ機本体２の前面中央に設けられた球貸スイッチ９５と返却スイッチ９６が接続されている。カードユニットインターフェイス４６は、球貸信号制御回路９７を介してマイクロコンピユータ１００に接続される。
【００４２】
さらに、マイクロコンピユータ１００には、払出し信号制御回路３７，外部出力駆動回路３５，マイクロコンピユータ１００の処理周期を規定するクロック回路Ａ１，マイクロコンピユータ１００の処理暴走時に作動してリセットを行うウォッチドッグタイマリセット回路Ａ２，音声出力回路Ａ３を介してスピーカ５７が接続され、またさらに、球切りモータ５２がモータ駆動回路３８を介して接続され、発射モータ５５がモータ駆動回路３９を介して接続され、球抜きソレノイドＳＯＬ１がソレノイド駆動回路３６を介して接続されている。
【００４３】
次に、カード式パチンコ機１の動作について述べる。電源投入後、カードユニット３のカード利用可能ＬＥＤ９が点灯し、カード利用可能であることを表示し、連結台方向表示ＬＥＤ５が図１の場合では左方向を表示して指し示す。また、パチンコ機本体２においては、ＣＰＵ３０が、パチンコ機本体２の払出し表示ＬＥＤ１４が緑（第１の発光色）に点灯すると共に、パチンコ機本体２裏面の払出しモニターＬＥＤ５０を緑で点灯し、モータ制御回路３８を介して球切りモータ５２を駆動する。また、ＣＰＵ３０は、音声出力回路Ａ３を介してスピーカ５７よりカード処理及び球貸に係わる操作等の情報を音声により報知する。
【００４４】
カード挿入口４にカードを挿入すると、カードユニット３は、カードに記憶されている金額情報を読み込んで記憶すると共にカード挿入中ランプ６を点灯し、カードユニットインターフェース４６を介してカード残高表示ＬＥＤ１３に金額が表示され、ＣＰＵ３０は、球貸ボタン１２の内部の球貸可能ＬＥＤ１５点灯する。
【００４５】
球貸ボタンが操作されると、ＣＰＵ３０は、球貸信号制御回路９７を介して球貸信号を入力する。この時、ＣＰＵ３０は、スイッチ検出部３３を介して球抜き操作検出スイッチＳＷ３と、球切れ検出スイッチＳＷ１と、球切れ検出スイッチＳＷ２のオンオフ状態を判定して、球抜きが行われていないこと、球無し状態でないことを確認し、また、球排出装置制御回路９６を介して球検出センサー９４，９５のオン状態が検出されると、球有と判定して、球排出装置制御回路９６を介して球排出装置４４を駆動して、球貸動作を開始し、ＬＥＤ表示回路３４を介して払出し表示ＬＥＤ１４を緑（第１の発光色）で点滅する。
【００４６】
所定個数２５個のパチンコ球の貸し出しが終了すると、ＣＰＵ３０は、外部出力駆動回路３５を介して貸球情報を集中管理装置に出力する。上皿２４内に、パチンコ球が貸出される。払出し表示ＬＥＤ１４は、再び緑で点灯となる。
【００４７】
また、カードユニット３に対しても、ＣＰＵ３０はカードユニットインターフェイス４６を介して球貸動作終了を出力し、カードユニット３は、記憶している金額データより１回分の貸出し金額を減算する。このことにより、カード残高表示ＬＥＤ１３に減算された後の金額が新たに表示される。
【００４８】
遊技者がハンドル２８を回動操作すると、モータ制御回路３９は発射モータ５５を駆動してパチンコ球の弾発を開始する。遊技盤１０において入賞が発生すると、遊技盤１０面における制御を行うメイン基板は入賞種別の記憶を行う。入賞したパチンコ球は、遊技盤１０裏面の誘導路を通って球切りカム４９内に入る。球切りカム４９に入った遊技球は、賞品球払出し検出スイッチＳＷ５を作動させた後、遊技盤１０側に落下してパチンコ機本体２内に回収される。
【００４９】
賞品球払出し検出スイッチＳＷ５の作動信号は、ＣＰＵ３０に入力され、さらに、遊技盤１０面の各入賞装置等を制御するメイン基板に入力される。メイン基板は、賞品球払出し検出スイッチＳＷ５の作動信号が入力されると、この信号と同期してＣＰＵ３０に払出し信号１または払出し信号２を送出する。ＣＰＵ３０は、払出し信号制御回路３７を介して払出し信号が入力されると、送られた払出し信号に応じて球排出装置４４を制御して賞品球の払出しを行う。なお、ＣＰＵ３０は、払出し動作の開始から払出し動作中において、球抜きが行われていないこと、球タンク４０よりタンクレール４２が球無し状態でないこと、また、球排出装置制御回路９６を介して球排出装置４４内の球有の判定と、払出し経路におけるパチンコ球の満タン状態となっていないかを監視する。
【００５０】
ＣＰＵ３０は、メイン基板よりの払出し信号１または払出し信号２に応じて、球排出装置制御回路９６を介して球排出装置４４を作動して、パチンコ球の払出し動作を行う。この時、遊技盤１０に設けられた賞品球表示灯２３が点灯する。
【００５１】
払出し動作中に、賞品球経路満タンスイッチＳＷ４からの信号入力が検出されて、払出し経路においてパチンコ球が満タン状態となると、ＣＰＵ３０は、球排出装置４４の作動を停止し、ＬＥＤ表示回路３４を介して払出し表示ＬＥＤ１４を赤（第２の発光色）で点灯する。
【００５２】
この場合、下皿２６の球抜きレバー等を操作して、払出し経路内のパチンコ球を流下して抜くと、賞品球経路満タンスイッチＳＷ４がオフとなり、ＣＰＵ３０は、再び球排出装置４４を作動して払出し動作を行う。
【００５３】
また、払出し動作中に球タンク４０より球排出装置４４に至る経路において球づまり等が発生して球排出装置４４内に球が無くなる場合には、球排出装置４４内の球センサー９４または球センサー９５のいずれかによって球無状態が検出され、ＣＰＵ３０は、ＬＥＤ表示回路３４を介して払出し表示ＬＥＤ１４を赤（第２の発光色）で点滅すると共に、パチンコ機本体２裏面の払出しモニターＬＥＤ５０を消灯し、払出しモニターＬＥＤ５１を赤で点灯する。
【００５４】
払出し動作が正常に行われている場合には、ＣＰＵ３０は、球排出装置４４内の排出球センサー９６，９７によってパチンコ球の払出し個数を計数し、１０個払出した時点で、外部出力駆動回路３５を介して賞品球情報を集中管理装置に出力する。
【００５５】
球抜き操作は、球抜き操作検出スイッチＳＷ３が入力された場合に行われる。この場合には、ＣＰＵ３０は、球排出装置４４が球貸動作及び賞品球の払出し動作を行っていないことを条件に球抜き動作を行う。
【００５６】
球抜き操作検出スイッチＳＷ３が操作されると、操作信号はスイッチ検出部３３を介してＣＰＵ３０に入力される。ＣＰＵ３０は、ソレノイド駆動回路３６を介して球抜きソレノイドＳＯＬ１を励磁し、払出し経路より球抜き経路側に球の排出経路を切替え、球排出装置制御回路９６を介して球排出装置４４を駆動して球抜き動作を行う。球抜き動作は、動作開始から４５秒後、または、球検出スイッチＳＷ２よりの球無し検出がなされてから３秒後に終了する。
【００５７】
返却ボタン１６を押すと、カードユニットインターフェイス４６は、カードユニット３に記憶している金額データをカードに書き込み、カード挿入口４よりカードを返却する。
【００５８】
【発明の効果】
請求項１に記載の構成によれば、パチンコ機本体に払出し表示手段を設け、払出し表示手段を貸球可能状態と貸球動作中とに区別して表示可能にしたので、球貸可能か、実際に球貸動作を行っているかを明確に識別でき、パチンコ機の動作状態を確実に知ることができる。また、枠制御基板にメイン基板からの賞品球の払出信号が入力されるので、遊技盤の交換に伴ってメイン基板も交換される場合に、枠制御基板をそのまま使用しても、遊技に対応する賞品球を正確に払い出すことができる。
【００５９】
【００６０】
【図面の簡単な説明】
【図１】本発明の実施の形態に係るカード式パチンコ機の正面図
【図２】本発明の実施の形態に係るカード式パチンコ機の裏面図
【図３】本発明の実施の形態に係るカード式パチンコ機の他の裏面図
【図４】実施の形態の球排出装置の断面図
【図５】実施の形態の球排出装置の別の断面図
【図６】実施の形態の払出し検出機構の正面図
【図７】本発明の実施の形態に係るカード式パチンコ機の要部ブロック図
【符号の説明】
１  カード式パチンコ機
２  パチンコ機本体
３  カードユニット
４  カード挿入口
５  連結台方向表示ＬＥＤ
６  カード挿入中ランプ
７  カードユニット鍵
８  端数表示ボタン
９  ガード利用可能ランプ
１０  遊技盤
１１  基枠
１２  球貸ボタン
１３  ガード残高表示ＬＥＤ
１４  払出し表示ＬＥＤ
１５  球貸可能ＬＥＤ
１６  カード返却ボタン
１７  当たり表示灯
１８  金枠開放表示灯
１９  蝶番
２０  切替スイッチ
２１  球誘導レール
２２  アウト球受口
２３  賞品球表示灯
２４  上皿
２５  球抜きレバー
２６  下皿
２７  球抜きレバー
２８  ハンドル
２９  発車装置停止ボタン
３０  ＣＰＵ
３１  ＲＯＭ
３２  ＲＡＭ
３３  スイッチ検出部
３４  ＬＥＤ表示回路
３５  外部出力回路
３６  ソレノイド駆動回路
３７  払出し信号制御回路
３８  モータ制御回路
３９  モータ制御回路
４０  球タンク
４１  裏セット板締め具
４２  タンクレール
４３  球ならし振り子
４４  球排出装置
４５  枠制御基板
４６  インターフェース基板（カードユニットインターフェイス）
４７  パチンコ遊技機用電源コード
４８  連結杆
４９  静電防止器
５０  払出しモニターＬＥＤ
５１  払出しモニターＬＥＤ
５２  球切りモータ
５３  球切りカム
５４  カードユニット電源コード
５５  発射モータ
５６  発射装置制御基板
５７  スピーカ
６０  下皿口
６１  払出し検出機構
６２  裏セット板
６３  外部接続端子
６４  外部接続端子
６５  外部接続端子
６６  外部接続端子
６７  外部接続端子
６８  外部接続端子
６９  金枠
７０  前面ガラス
７１  雄型コネクタ
７２  レールカバー
７３  上皿口
７４  従動部材
７５  連結杆
７６  連結板
７７  バネ
７８  金枠開放検出スイッチ
８０  ケース
８１  通路
８２  通路
８３  回転軸
８４  球送出車
８５  球送出車
８６  球体係合部
８７  球体係合部
８８  突部
８９  突部
９０  フック
９１  フック
９２  突部
９３  突部
９５  スイッチ入力回路
９６  球排出装置制御回路
９７  球貸信号制御回路
９８  球貸スイッチ
９９  返却スイッチ
１００  マイクロコンピユータ
１０１  金枠鍵
１０２  発射装置停止スイッチ
１０３  基板収納ボックス
Ａ１  クロック回路
Ａ２  ウォッチドッグタイマリセット回路
Ａ３  音声出力回路
ＳＷ１  球検出スイッチ
ＳＷ２  球検出スイッチ
ＳＷ３  球抜き操作検出スイッチ
ＳＷ４  賞品球経路満タン検出スイッチ
ＳＷ５  賞品球払出し検出スイッチ
ＳＯＬ１  球抜きソレノイド
【図１】
0003625188.tif 000002
【図２】
0003625188.tif 000003
【図３】
0003625188.tif 000004
【図４】
0003625188.tif 000005
【図５】
0003625188.tif 000006
【図６】
0003625188.tif 000007
【図７】
0003625188.tif 000008